(57)【要約】【課題】今まで、電球の交換方法の多くは高所作業にもかかわらず、電球を回して交換しているため、手間と作業時間がかかり、危険でもあった。高齢化社会が進む中、お年寄りでも簡単に安全にワンタッチで交換できるソケットが必要であった。【解決手段】回転による電球の脱着ではなく、押し込みだけで固定できる押し込み型ソケットで、電球の口金を嵌合するソケットにおいて、口金が押し込みのもとで嵌合可能に等角度に配置された複数の部分円弧形状型口金嵌合片部と部分円弧形状型口金嵌合片部に半径方向の弾性を付与可能にソケットの内周面と部分円弧形状型口金嵌合片部との間に配置された弾性体を備えていることと、部分円弧形状型口金嵌合片部は口金に対応した波型形状が縦断面に形成されていることと、弾性体はゴム、スポンジなどであること、配置の方法は両面テープ、接着剤等によること部分円弧形状型口金嵌合片部が板バネとなるよう一端固定化したものもあることなどによって解決するものである。【選択図】図３
2013033694.tif 000002
【特許請求の範囲】
【請求項１】
電球の口金を嵌合するソケットにおいて、口金が押し込みのもとで嵌合可能に等角度に配置された複数の部分円弧形状型口金嵌合片部と部分円弧形状型口金嵌合片部に半径方向の弾性を付与可能にソケットの内周面と部分円弧形状型口金嵌合片部との間に配置された弾性体を備えたことを特徴とするソケット。
【請求項２】
部分円弧形状型口金嵌合片部は口金に対応した波型形状が縦断面に形成されている請求項１記載のソケット。
【請求項３】
弾性体はゴム、スポンジのなどである請求項１または２に記載のソケット。
【請求項４】
配置の方法は両面テープ、接着剤等による請求項１から３のいずれかに記載のソケット。
【請求項５】
電球の口金を嵌合するソケットにおいて、口金が押し込みのもとで嵌合可能に等角度に配置された複数の部分円弧形状型口金嵌合片部と部分円弧形状型口金嵌合片部に半径方向の弾性を付与可能にソケットの内周面に部分円弧形状型口金嵌合片部を板バネとして一端固定し、かつ固定されていない先端間どうしの内径が固定部間どうしの内径より狭くなる角度を生じるよう固定されていることを特徴とするソケット。
【請求項６】
部分円弧形状型口金嵌合片部は口金に対応した波型形状が縦断面に形成され、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する請求項５記載のソケット。
【請求項７】
固定の方法はビス、溶接等による請求項５または６に記載のソケット。
【請求項８】
電球の口金の差し込み方向を０度とする部分円弧形状型口金嵌合片部が１度以上４５度以下の範囲で先端が内側に狭くなるよう、ソケット内側端部において部分円弧形状型口金嵌合片部固定面を固定できる面を有する環状固定帯があることを特徴とする請求項５から７のいずれかに記載のソケット。
【請求項９】
ソケット底部固定面を共有する一体である複数の部分円弧形状型口金嵌合片部がそれぞれソケット底部固定面に対して部分円弧形状型口金嵌合片部の先端部間どうしの内径が電球の口金の差し込み方向を０度とする部分円弧形状型口金嵌合片部が１度以上４５度以下の範囲で内側に狭くなるようにＬ字状に曲げている請求項５記載のソケット。
【発明の詳細な説明】
【技術分野】
【０００１】この発明は住宅などの天井の電球をワンタッチで電球を挿入と取り外しができる押し込み型ソケットに関する発明である。
【背景技術】
【０００２】高齢化社会と高齢者の一人暮らしが増える生活環境の中、天井の電球の交換は高齢者一人で行うには、これまでの回転式では、脚立等に上がり、回転させるためには長時間高所で手をのばしたままの状態にならざるを得ず、辛く危険を伴う状態になっていた。この際、危険な回転作業を回避すべく、無回転での脱着方式の必要性が合理的であり一人暮らしの高齢化社会では一層その時代的要請であるにも関わらず未だ従来型の回転式のままでいた。【０００３】本発明は「押し込み」と「引っ張り」だけで容易に脱着できる押し込み型ソケットについてであり、電球の口金を嵌合するソケットにおいて、口金が押し込みのもとで嵌合可能に等角度に配置された複数の部分円弧形状型口金嵌合片部と部分円弧形状型口金嵌合片部に半径方向の弾性を付与可能にソケットの内周面と部分円弧形状型口金嵌合片部との間に配置された弾性体を備えたことと、配置の方法は両面テープ、接着剤等による背面接着固定配置したものと、弾性体を備えない部分円弧形状型口金嵌合片部自体が弾性力を生じる板バネとなるよう一端固定配置し、かつ固定端間どうしの内径が部分円弧形状型口金嵌合片部の先端間どうしの内径よりも狭くなるよう固定したものがあること、さらに後者の弾性体を備えない部分円弧形状型口金嵌合片部自体が弾性力を生じる板バネとなるよう一端固定配置したものについては、一端固定方法がソケット内周面端部に部分円弧形状型口金嵌合片部をビス固定または溶接固定などによるものと、ソケット底部固定面を共有し一体である複数の部分円弧形状型口金嵌合片部をそれぞれＬ字に折り曲げているものがあることを特徴とするソケットである。
【発明の概要】
【発明が解決しようとする課題】
【０００４】今まで、電球の交換方法の多くは高所作業にもかかわらず、電球を回しながら、上へ押し上げていくという作業が伴い、手間と作業時間がかかり、多くは脚立や台の上に乗って行うため、足もとが不安定な場合が多く、転倒、落下する危険や電球を滑らせて落として破損する危険があり、高齢化社会が進む中、特にお年寄り一人では大変不便な状態であり、高齢者のみならず、妊婦さんや女性にとっても回転させる動作が必要な現状のソケットは安全上、利便さの点では問題があった。そこで簡単に安全にワンタッチで交換できるソケットが必要となる。そこで押し込み型ソケットを考案したものである。
【課題を解決するための手段】
【０００５】いま、その構成を説明すると、電球の口金を嵌合するソケットにおいて、口金が押し込みのもとで嵌合可能に等角度に配置された複数の部分円弧形状型口金嵌合片部と部分円弧形状型口金嵌合片部に半径方向の弾性を付与可能にソケットの内周面と部分円弧形状型口金嵌合片部との間に配置された弾性体を備えていることと、部分円弧形状型口金嵌合片部は口金に対応した波型形状が縦断面に形成されていることと、弾性体はゴム、スポンジなどであること、配置の方法は両面テープ、接着剤等による背面接着固定配置したものと、弾性体を備えない部分円弧形状型口金嵌合片部自体が弾性力を生じる板バネとなるよう一端固定配置したものもあること、さらに後者の弾性体を備えない部分円弧形状型口金嵌合片部自体が弾性力を生じる板バネとなるよう一端固定配置したものについては、一端固定方法がソケット内周面端部に部分円弧形状型口金嵌合片部をビス固定または溶接固定などによるものとソケット底部固定面を共有して一体である複数の部分円弧形状型口金嵌合片部をそれぞれＬ字に折り曲げることによるものがあること。【０００６】部分円弧形状型口金嵌合片部は口金に対応した波型形状が縦断面に形成され、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する部分円弧形状型口金嵌合片部どうしがソケット内面で「ハ」の字に固定にできるよう、ソケット内側端部において部分円弧形状型口金嵌合片部固定面を固定できる面を有する環状固定帯があること。これにより、固定されていない先端間どうしの内径が固定部間どうしの内径より狭くなる角度を生じるよう固定すること。【０００７】ソケット底部固定面を共有する一体である複数の部分円弧形状型口金嵌合片部がそれぞれソケット底部固定面に対して部分円弧形状型口金嵌合片部の先端部間どうしの内径が電球の口金の差し込み方向を０度とする部分円弧形状型口金嵌合片部が１度以上４５度以下の範囲で内側に狭くなるようにＬ字状に曲げていること。【０００８】ソケット底部固定面にはソケット底部と一体型部分円弧形状型口金嵌合片部を固定するソケット底部固定用ビス穴及び電球の電極部と絶縁するための電極絶縁切り込み部がある。
本発明は以上のような構成よりなる押し込み型ソケットに関する発明である。
【発明の効果】
【０００９】電球を挿入しようとソケット内へ電球を押し込むと、ソケット内側にある部分円弧形状型口金嵌合片部がそれぞれ電球の口金部の凹凸の変化に弾性力によって柔軟に動き、固定するので、電球を回転させる必要がなく、ソケットに押し込むだけで装着できる。この際、特に部分円弧形状型口金嵌合片部では、この弾性力がゴムもしくはスポンジなどの弾性素材の中でも耐熱弾力素材及び弾力性能を有する両面テープなどによるもので口金の凹凸変化方向など垂直水平の動きだけでなく、電球を多少斜めに差し込んでもソケット内側に貼り付けられた弾性素材によってゆらぐような多方向に柔軟に動くので、電球という割れやすいガラスを扱う際の割れるのではという不安や心理的なストレスを和らげる効果があり、その復元力によって、部分円弧形状型口金嵌合片部は元の位置に戻る動きが可能になり、柔軟な電球の挿入と装着ができるようになる。【００１０】弾性体を備えない板バネ状の部分円弧形状型口金嵌合片部においても同様に電球を挿入しようとソケット内へ電球を押し込むと、口金に対応した波型形状が縦断面に形成された部分円弧形状型口金嵌合片部によって口金に嵌合するが、この時、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する部分円弧形状型口金嵌合片部がソケット内側端部の部分円弧形状型口金嵌合片部固定面を固定できる面を有する環状固定帯に対して固定されていない先端間どうしの内径が固定部間どうしの内径より狭くなる角度を生じるよう固定しているので部分円弧形状型口金嵌合片部先端どうしが狭くなる「ハ」の字状に固定されることで口金挿入時に弾性力が生じる。【００１１】Ｌ字に折り曲げた構造である部分円弧形状型口金嵌合片部も同様に、それぞれソケット底部固定面に対して部分円弧形状型口金嵌合片部の先端部ソケット底部固定面を共有する一体である複数の部分円弧形状型口金嵌合片部がそれぞれソケット底部固定面に対して部分円弧形状型口金嵌合片部の先端部間どうしの内径が電球の口金の差し込み方向を０度とする部分円弧形状型口金嵌合片部が１度以上４５度以下の範囲で内側に狭くなるようにＬ字状に曲げているので口金を挿入することで弾性力を生じ部分円弧形状型口金嵌合片部がそれぞれ電球の口金部の凹凸の変化に弾性力によって柔軟に動き、固定するので、電球を回転させる必要がなく、ソケットに押し込むだけで装着できる。【００１２】Ｌ字に折り曲げた構造である部分円弧形状型口金嵌合片部はソケット底部固定面のソケット底部固定用ビス穴があるので容易にソケットに固定可能であり、電極絶縁切り込み部によって、部分円弧形状型口金嵌合片部と電球口金先端の電極から絶縁した状態でソケット底部に固定できる。【００１３】部分円弧形状型口金嵌合片部におけるそれぞれの波形状によって、習慣上回転させようと回した場合でも従来のソケット同様の装着が可能でもあり、また完全に上部の電極に確実に接触させるために押し込んで装着した後でもわずかに電球を回転させることも可能となる。【００１４】３つまたは４つの部分円弧形状型口金嵌合片部で３方からまたは４方から固定することで、電球自体の固定軸が中心からズレにくく、電球口金部を複数点で固定することで１か所あたりの固定負荷を分散させることができ、挿入あるいは取りはずしの際の部分円弧形状型口金嵌合片部を開く動作時が柔軟になり、容易な挿入と取りはずしが可能となり、均等なバネの力でバランスよく固定できる。【００１５】部分円弧形状型口金嵌合片部は従来のソケット本体部に取り付けることができるので、低コストで実用化が期待できるので量産化も期待でき、日常生活の需要に早急に対応可能となる。【００１６】現状の電球を使用でき、回転式の固定ではないので、短時間で作業が完了し、作業者の高所作業時間と転倒落下の危険を軽減することができる。【００１７】高齢化社会でのお年寄りの安全をはじめ妊婦さんや女性などがこれまで不便と危険を感じていた電球の交換を安全に行うことができることで生活の安全に寄与することができる。
【図面の簡単な説明】
【００１８】
【図１】本発明の弾性体を備えた部分円弧形状型口金嵌合片部の斜視図である。
【図２】本発明の弾性体を備えた部分円弧形状型口金嵌合片部とソケットを半カットした状態を示す斜視図である。
【図３】本発明の弾性体を備えた部分円弧形状型口金嵌合片部と電球挿入時の状態を示すためソケットを半分カットした斜視図である。
【図４】本発明の一端を固定化し板バネとした部分円弧形状型口金嵌合片部の斜視図である。
【図５】本発明の一端を固定化し板バネとした部分円弧形状型口金嵌合片部とソケットを半分カットした状態を示す斜視図である。
【図６】本発明の一端を固定化し板バネとした部分円弧形状型口金嵌合片部と電球挿入時の状態を示すためソケットを半分カットした斜視図である。
【図７】本発明の一端を固定化し板バネとした部分円弧形状型口金嵌合片部のうち部分円弧形状型口金嵌合片部どうしが上部で一体化することで一端を固定化した部分円弧形状型口金嵌合片部の斜視図である。
【図８】本発明の一端を固定化し板バネとした部分円弧形状型口金嵌合片部のうち部分円弧形状型口金嵌合片部どうしが上部で一体化することで一端を固定化した部分円弧形状型口金嵌合片部とソケットを半分カットした状態を示す斜視図である。
【図９】本発明の一端を固定化し板バネとした部分円弧形状型口金嵌合片部のうち部分円弧形状型口金嵌合片部どうしが上部で一体化することで一端を固定化した部分円弧形状型口金嵌合片部と電球挿入時の状態を示すためソケットを半分カットした斜視図である。
【発明の実施するための形態】
【００１９】以下、本発明の実施の形態について説明する。
【００２０】図１は請求項１記載のソケットの部分円弧形状型口金嵌合片部であり、弾性体と両面テープ、接着剤等で接着されている。部分円弧形状型口金嵌合片部は口金に対応した波型形状が縦断面に形成されていることと、弾性体はゴム、スポンジなどである。
【００２１】図２の様に請求項１記載の部分円弧形状型口金嵌合片部がソケット内側に複数均等に接着固定されている。
【００２２】図３の様に口金が押し込みのもとで嵌合可能に等角度に配置された複数の部分円弧形状型口金嵌合片部と部分円弧形状型口金嵌合片部に半径方向の弾性を付与可能にソケットの内周面と部分円弧形状型口金嵌合片部との間に配置された弾性体を備えて口金部と嵌合する。
【００２３】図４は請求項５記載の部分円弧形状型口金嵌合片部が板バネとしての作用が生じる様に、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する形状をしている。
【００２４】図５の様に請求項５記載の部分円弧形状型口金嵌合片部は口金に対応した波型形状が縦断面に形成され、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する請求項５記載のソケッ部分円弧形状型口金嵌合片部がソケット内面に対して「ハ」の字に固定できるよう、ソケット内側端部において部分円弧形状型口金嵌合片部固定面を固定できる面を有する環状固定帯がある。
【００２５】図６の様に口金が押し込みのもとで嵌合可能に等角度に配置された複数の板バネ状の部分円弧形状型口金嵌合片部と部分円弧形状型口金嵌合片部に半径方向の弾性を付与可能にソケットの内周面に部分円弧形状型口金嵌合片部を一端固定し口金部と嵌合する。これにより、電球の口金の差し込み方向を０度とする部分円弧形状型口金嵌合片部が１度以上４５度以下の範囲で先端が内側に狭くなるような角度で折れ曲がっている部分円弧形状型口金嵌合片部固定面を有する請求項５記載のソケッ固定されていない先端間どうしの内径が固定部間どうしの内径より狭くなる角度を生じるよう固定することで電球挿入時に板バネの弾力が生じ電球口金を固定する。
【００２６】図７の様にソケット底部固定面を共有する一体である複数の部分円弧形状型口金嵌合片部がそれぞれソケット底部固定面に対して部分円弧形状型口金嵌合片部の先端部間どうしの内径が折り曲げ部の内径より狭くなるように電球の口金の差し込み方向を０度とする部分円弧形状型口金嵌合片部が１度以上４５度以下の範囲で内側に狭くなるようにＬ字状に曲げている請求項５記載のソケットで板バネ状の部分円弧形状型口金嵌合片部として、個々の部分円弧形状型口金嵌合片部が独立せずに上部にて一体となってつながっているもので、上部のソケット固定面に対して個々の部分円弧形状型口金嵌合片部が折れ曲がるように配置され、折れ曲がり部を固定端とする板バネ化した状態となり、かつ電球挿入時に板バネの弾力が生じるように部分円弧形状型口金嵌合片部は上部固定端に対して下部が狭くなっている。
【００２７】図８の様に板バネ状の部分円弧形状型口金嵌合片部のうち、個々の部分円弧形状型口金嵌合片部が独立せずに上部のソケット底部固定面にて一体となってつながっているものがソケットに一体で固定される。
【００２８】図９の様に口金が押し込みのもとで嵌合可能に等角度に配置された一体でつながった複数の板バネ状の部分円弧形状型口金嵌合片部と部分円弧形状型口金嵌合片部に半径方向の弾性を付与可能にソケットの内周面に部分円弧形状型口金嵌合片部を一端固定し口金部と嵌合する。
【００２９】電球をソケットに対して、上へ軽く押し込むと、ソケット内部の部分円弧形状型口金嵌合片部が弾性体の弾力によって、あるいは板バネの復元力によって、電球口金部のネジ状の山谷の波形の凹凸の挿入時の太さの変化に部分円弧形状型口金嵌合片部の波形が広がりと復元を繰り返し、カチカチっという感触とともに挿入され固定される。
【００３０】断面図上の部分円弧形状型口金嵌合片部の下部先端が少し外側に広がる形状を有しているので挿入時のガイドになり挿入しやすい。
【００３１】部分円弧形状型口金嵌合片部のそれぞれの波形状によって、習慣上回転させようと回した場合、従来のソケット同様の装着となり、押し込んで装着した後でもわずかに電球を回転させ上部の電極への接触が確実になる。
【００３２】部分円弧形状型口金嵌合片部のそれぞれの波型形状が電球口金部の４段の全ての凹凸にかみ合う。
【００３３】電球口金部を複数点で固定することで１か所あたりの固定負荷を分散し、挿入あるいは取りはずしの際の部分円弧形状型口金嵌合片部を開く動作時が柔軟になり、容易な挿入と取りはずしが可能となり、均等な弾性力でバランスよく固定する。
【符号の説明】
【００３４】１    電球口金部
２    ソケット
３    部分円弧形状型口金嵌合片部
４    弾性体
５    ビス
６    部分円弧形状型口金嵌合片部固定面
７    環状固定帯
８    ソケット底部固定面
９    ソケット底部固定用ビス穴
１０  電極絶縁切り込み部
【図１】
2013033694.tif 000003
【図２】
2013033694.tif 000004
【図３】
2013033694.tif 000005
【図４】
2013033694.tif 000006
【図５】
2013033694.tif 000007
【図６】
2013033694.tif 000008
【図７】
2013033694.tif 000009
【図８】
2013033694.tif 000010
【図９】
2013033694.tif 000011